(57)【特許請求の範囲】
【請求項１】
霊園又は寺院（以下、霊園と記載する。）の墓所に焼骨を埋蔵する前記墓所の使用権者又はその使用権者が承諾した人を対象とした死亡を担保する生命保険の死亡保険金給付システムであって、
前記生命保険を引き受ける保険者の保険者サーバ装置と、前記霊園の霊園サーバ装置と、
前記生命保険に加入する加入者端末と、その加入者が死亡した場合の死亡保険金受取人の端末と、がネットワークを介して通信可能に接続され、
前記保険者サーバ装置は、送受信手段と、画面表示手段と、記憶手段と、を備え、
更に前記保険者サーバ装置は、
ネットワーク上に前記生命保険の申込を受付ける申込ページをウェブサイトに掲載するウェブサイト手段と、
前記加入者端末がネットワークを介して前記申込ページを前記霊園サーバ装置に送信して前記生命保険に加入した場合に、前記霊園サーバ装置が前記申込ページを記憶手段に格納して保存するとともに、該申込ページのコピーを前記保険者サーバ装置に送信することと、
前記加入者端末がネットワークを介して前記申込ページを前記保険者サーバ装置に送信して前記生命保険に加入した場合に、前記申込ページを前記保険者サーバ装置の記憶手段に格納して保存するとともに、該申込ページに設けられた加入者情報部に表示された加入者情報を前記霊園サーバ装置に送信することによって前記霊園と前記保険者が前記加入者の情報を共有する加入者情報共有手段と、
前記霊園サーバ装置が添付して送信した、前記加入者が死亡して焼骨を前記霊園の墓所に埋蔵する場合に前記霊園が受理した埋火葬許可証（以下、埋葬許可証と記載する。）の画像を前記加入者の前記申込ページに設けられた埋葬許可証画像添付欄に添付して前記保険者サーバ装置の記憶手段に格納して保存することにより前記霊園と前記保険者が前記埋葬許可証の画像を共有する埋葬情報共有手段と、
前記保険者が前記加入者の死亡を承認するために前記霊園サーバ装置が添付して送信した前記埋葬許可証の画像と、前記保険者サーバ装置の記憶手段に格納して保存した前記加入者の前記申込ページを、前記保険者サーバ装置の画面表示手段に表示して承認可能とする死亡承認手段と、
前記死亡保険金受取人の端末に前記加入者の前記死亡保険金受取人である旨を送信する保険金受取人連絡手段と、
前記死亡保険金受取人の端末がネットワークを介して送信した本人確認の公的証明書の画像を前記保険者サーバ装置の画面表示手段で表示することによって前記保険者が本人確認可能となり死亡保険金請求手続きを簡略化した簡略手続手段と、を備え、
前記霊園サーバ装置は、送受信手段と、画面表示手段と、記憶手段と、を備え
更に前記霊園サーバ装置は、
ネットワーク上に前記生命保険の申込を受付ける前記申込ページをウェブサイトに掲載するウェブサイト手段と、
前記加入者端末がネットワークを介して前記申込ページを前記保険者サーバ装置に送信して前記生命保険に加入した場合に、前記保険者サーバ装置から受信した前記申込ページの前記加入者情報部に表示された前記加入者の氏名、住所を前記加入者が使用する前記墓所の使用権者管理カードに設けられた保険加入者欄に入力した該使用権者管理カードを前記霊園サーバ装置の記憶手段に格納して保存することと、前記加入者端末がネットワークを介して前記申込ページを前記霊園サーバ装置に送信して前記生命保険に加入した場合に、受信した前記申込ページを前記霊園サーバ装置の記憶手段に格納して保存するとともに該申込ページのコピーを前記保険者サーバ装置に送信することによって前記霊園と前記保険者が前記加入者の情報を共有する加入者情報共有手段と、
前記加入者が死亡して焼骨を前記霊園の墓所に埋蔵する場合に前記霊園が受理した前記埋葬許可証を前記保険者サーバ装置に送信して該埋葬許可証の画像を前記使用権者管理カードと、前記加入者の前記申込ページに添付して前記霊園サーバ装置の記憶手段に格納して保存することにより前記保険者と前記霊園が前記埋葬許可証の画像を共有する埋葬情報共有手段と、を備えたことを特徴とする死亡保険金給付システム。
【請求項２】
前記ウェブサイト手段は、前記霊園サーバ装置と前記保険者サーバ装置がそれぞれのウェブサイトに前記生命保険の申込を受付ける前記申込ページを掲載することであって、
前記生命保険に加入する加入手段は、
前記加入者端末がブラウザからネットワークを介して前記霊園のウェブサイトにアクセスして前記霊園サーバ装置がウェブ上に掲載した前記申込ページに前記加入者が必要事項を入力した該申込ページを受付する第一加入手段と、
前記加入者端末がブラウザからネットワークを介して前記保険者のウェブサイトにアクセスして前記保険者サーバ装置がウェブ上に掲載した前記申込ページに前記加入者が前記必要事項を入力した該申込ページを受付する第二加入手段があり、
前記第一加入手段は、前記霊園が前記保険者と業務委託契約を締結して前記霊園が前記生命保険の代理店となって前記生命保険の申込を受付する場合で、
前記第二加入手段は、前記生命保険の申込を直接前記保険者が受付する場合で、    
前記加入者端末は、ブラウザからネットワークを介して前記霊園又は前記保険者の何れかのウェブサイトにアクセスしてウェブ上に掲載された前記申込ページに前記必要事項である加入者情報と、死亡保険金受取人情報と、前記加入者の健康に関する告知情報と、のそれぞれの情報入力欄に前記加入者が入力した前記申込ページを前記霊園サーバ装置又は、前記保険者サーバ装置の何れかにネットワークを介して送信し、
前記霊園サーバ装置又は、前記保険者サーバ装置の何れかが前記申込ページを受信することにより前記加入者が前記生命保険に加入できることを特徴とする請求項1に記載の死亡保険金給付システム。
【請求項３】
前記加入者端末が前記霊園のウェブサイトにアクセスして前記生命保険を申込む前記第一加入手段の場合に前記霊園サーバ装置は、
受信した前記申込ページに表示された墓所番号を基に前記霊園サーバ装置の記憶手段に保存された前記加入者の前記使用権者管理カードを抽出し、
前記申込ページに表示された前記加入者の氏名、住所を抽出した前記使用権者管理カードに設けられた前記保険加入者欄に入力した該使用権者管理カードを前記霊園サーバ装置の記憶手段に格納して保存し、
更に前記申込ページのコピーをネットワークを介して前記保険者サーバ装置に送信した上で前記申込ページを前記霊園サーバ装置の記憶手段に格納して保存し、
前記保険者サーバ装置は、前記霊園サーバ装置から受信した前記申込ページのコピーを前記霊園からの申込ページとして前記保険者サーバ装置の記憶手段に格納して保存し、
前記加入者端末が前記保険者のウェブサイトにアクセスして前記生命保険を申込む前記第二加入手段の場合に前記保険者サーバ装置は、
受信した前記申込ページに設けられた前記加入者情報部に表示された加入者情報をネットワークを介して前記霊園サーバ装置に送信した上で前記申込ページを前記保険者サーバ装置の記憶手段に格納して保存し、
前記霊園サーバ装置は、
前記保険者サーバ装置から受信した前記加入者情報部に記載された前記墓所番号を基に前記霊園サーバ装置の記憶手段に保存された前記使用権者管理カードを抽出し、
抽出した前記使用権者管理カードに設けられた前記保険加入者欄の前記加入者情報部に表示された前記加入者の氏名、住所を入力した該使用権者管理カードを前記霊園サーバ装置の記憶手段に格納して保存することにより前記保険者と前記霊園が前記加入者の情報を共有することを特徴とする請求項２に記載の死亡保険金給付システム。
【請求項４】
前記埋葬情報共有手段とは、前記霊園の墓所に焼骨を埋蔵する場合には前記霊園サーバ装置が、該霊園サーバ装置の記憶手段に保存した前記使用権者管理カードを抽出し、
埋蔵される死亡者が前記生命保険に加入しているか、そして抽出した前記使用権者管理カードに入力された前記保険加入者欄の氏名が同一であるか、
を前記霊園サーバ装置の画面表示手段で表示して前記霊園が受理した前記埋葬許可証に記載された死亡者の氏名を確認可能にし、
更に抽出した前記使用権者管理カードに前記埋葬許可証の画像を添付して前記霊園サーバ装置の記憶手段に格納して保存し、
前記死亡者が前記生命保険に加入していた場合には前記埋葬許可証の画像をネットワークを介して前記保険者サーバ装置に送信し、
前記保険者サーバ装置は、
前記霊園サーバ装置から受信した前記埋葬許可証の画像を前記申込ページに設けられた前記埋葬許可証画像添付欄に添付して前記保険者サーバ装置の記憶手段に格納して保存することにより前記霊園と前記保険者が前記埋葬許可証の画像を共有することを特徴とする請求項３に記載の死亡保険金給付システム。
【請求項５】
前記死亡承認手段は、前記保険者サーバ装置が、
該保険者サーバ装置の記憶手段に保存した死亡した前記加入者の前記申込ページを抽出し、
前記保険者サーバ装置は、
抽出した前記申込ページに入力された氏名と、前記霊園サーバ装置から受信した前記埋葬許可証の画像に表示された前記死亡者の氏名を確認可能にし、
前記加入者の前記申込ページに設けられた前記埋葬許可証画像添付欄に前記埋葬許可証の画像を添付して前記保険者サーバ装置の記憶手段に格納して保存し、
前記保険者は前記埋葬許可証の画像が前記加入者の死亡保険金支払い要件を満たしていることを承認可能とすることを特徴とする請求項４に記載の死亡保険金給付システム。
【請求項６】
前記保険金受取人連絡手段は、前記保険者サーバ装置が、
死亡した前記加入者の前記申込ページを前記保険者サーバ装置の記憶手段から抽出し、
抽出した前記申込ページの前記死亡保険金受取人の電子メールアドレス宛に前記加入者の死亡保険金受取人である旨と、その死亡保険金支払いに際して本人確認の公的証明書の画像が必要な旨をネットワークを介して通知することを特徴とする請求項1に記載の死亡保険金給付システム。
【請求項７】
前記簡略手続手段は、前記死亡保険金受取人の端末がネットワークを介して前記保険者サーバ装置に前記公的証明書の画像を送信し、
前記公的証明書の画像を受信した前記保険者サーバ装置において、
前記保険者が前記公的証明書の画像の住所、氏名と前記保険者サーバ装置の記憶手段から抽出した死亡した前記加入者の前記申込ページの前記死亡保険金受取人の住所、氏名を照合して確認し、前記死亡保険金受取人の口座に死亡保険金を送金して前記公的証明書の画像を前記申込ページに添付して前記保険者サーバ装置の記憶手段に格納して保存することを特徴とする請求項６に記載の死亡保険金給付システム。  
【発明の詳細な説明】
【技術分野】
【０００１】
本発明は、人が死亡した場合にその焼骨が霊園又は寺院の墓所に埋蔵されるところの該墓所の使用権者又はその使用権者が承諾した人を対象とする死亡のみを担保する生命保険において埋葬許可証の画像を死亡承認手段として更に死亡保険金受取人の本人確認を公的証明書の画像を以って死亡保険金の請求と見なした死亡保険金給付システムに関する。
【背景技術】
【０００２】
保険契約者が高齢になると認知症の発症リスクが高まり保険証券の保管場所が分からない場合や、保険を契約したことを忘れてしまう場合が起きる可能性がある。そのため近年、各生命保険会社では通常1年に1度生命保険の契約確認通知を保険契約者に通知するようになった。
【０００３】
死亡保険金請求手続きは一般に保険金請求書に保険証券番号、被保険者名、死因等を記載して、被保険者の住民票、保険証券、死亡診断書又は死体検案書、更に保険金受取人の本人確認書類（印鑑証明や運転免許証コピー）等の保険会社が指示した書類を揃えて提出することとなるが手間や時間を要し面倒である。
【０００４】
近年、デジタライゼーションの進展により政府機関でエビデンスとなる書類等が紙ベースから電子化されている。電子帳簿保存法により書面の保存からスキャン文書等の画像保存方法も認められるようになった。
【０００５】
保険金請求者が不慣れな場合や、保険会社の担当者がスキルや経験が浅い場合でも保険金支払い漏れを防止する保険金査定業務支援システムがある。（例えば、特許文献１参照。）
【０００６】
火災保険では保険金の請求額の妥当性の判断を支援する保険金請求額妥当性判定支援装置及びその方法がある（例えば、特許文献２参照。）
【先行技術文献】
【特許文献】
【０００７】
【特許文献１】特開２０１０−１０８２６９号公報
【特許文献２】特許第６００２８０５号公報
【発明の概要】
【発明が解決しようとする課題】
【０００８】
一般に保険は、その保険が担保する事象が起きた場合に保険金請求手続きをしなければ保険金が受領できない。（東日本大震災のような国が指定した大規模災害を除く。）しかし高齢化により保険契約をした被保険者やその配偶者も加齢によって記憶力の低下や認知症の発症などにより保険の管理が困難となることが想定される。  
【０００９】
死亡保険金の請求手続きが簡単で、保険金受取人が保険金請求手続きを忘れた場合であっても死亡保険金が保険金受取人に支払われる生命保険はなかった。
【００１０】
従って本発明は前述の課題を鑑みて、被保険者が死亡してその焼骨が霊園又は寺院に埋蔵される際に遺族がその霊園又は寺院に提出しなければならない埋火葬許可証（以下、埋葬許可証と記載する。）を霊園が埋葬許可証の画像をインターネットを介し保険者に送信することによりその保険者は、その画像に記載された死亡者名と生命保険の被保険者名を照合して被保険者の死亡を確認し、その埋葬許可証の画像が被保険者の死亡保険金支払い要件を満たしていることを承認して、更に死亡保険金受取人に本人確認できる公的証明書の画像を保険者にインターネットを介し送信してもらうことで保険金請求をしたこととみなして死亡保険金を死亡保険金受取人に支払う保険金請求手続きが簡単な死亡を担保する生命保険を提供することを目的とした。  
【課題を解決するための手段】
【００１１】
霊園又は寺院（以下、霊園と記載する。）の墓所に焼骨を埋蔵する前記墓所の使用権者又はその使用権者が承諾した人を対象とした死亡を担保する生命保険の死亡保険金給付システムであって、前記生命保険を引き受ける保険者の保険者サーバ装置と、前記霊園の霊園サーバ装置と、前記生命保険に加入する加入者端末と、その加入者が死亡した場合の死亡保険金受取人の端末と、がネットワークを介して通信可能に接続され、前記保険者サーバ装置は、送受信手段と、画面表示手段と、記憶手段と、を備え、更に前記保険者サーバ装置は、ネットワーク上に前記生命保険の申込を受付ける申込ページをウェブサイトに掲載するウェブサイト手段と、前記加入者端末がネットワークを介して前記申込ページを前記霊園サーバ装置に送信して前記生命保険に加入した場合に、前記霊園サーバ装置が前記申込ページを記憶手段に格納して保存するとともに、該申込ページのコピーを前記保険者サーバ装置に送信することと、前記加入者端末がネットワークを介して前記申込ページを前記保険者サーバ装置に送信して前記生命保険に加入した場合に、前記申込ページを前記保険者サーバ装置の記憶手段に格納して保存するとともに、該申込ページに設けられた加入者情報部に表示された加入者情報を前記霊園サーバ装置に送信することによって前記霊園と前記保険者が前記加入者の情報を共有する加入者情報共有手段と、
前記霊園サーバ装置が添付して送信した、前記加入者が死亡して焼骨を前記霊園の墓所に埋蔵する場合に前記霊園が受理した埋火葬許可証（以下、埋葬許可証と記載する。）の画像を前記加入者の前記申込ページに設けられた埋葬許可証画像添付欄に添付して前記保険者サーバ装置の記憶手段に格納して保存することにより前記霊園と前記保険者が前記埋葬許可証の画像を共有する埋葬情報共有手段と、前記保険者が前記加入者の死亡を承認するために前記霊園サーバ装置が添付して送信した前記埋葬許可証の画像と、前記保険者サーバ装置の記憶手段に格納して保存した前記加入者の前記申込ページを、前記保険者サーバ装置の画面表示手段に表示して承認可能とする死亡承認手段と、前記死亡保険金受取人の端末に前記加入者の前記死亡保険金受取人である旨を送信する保険金受取人連絡手段と、前記死亡保険金受取人の端末がネットワークを介して送信した本人確認の公的証明書の画像を前記保険者サーバ装置の画面表示手段で表示することによって前記保険者が本人確認可能となり死亡保険金請求手続きを簡略化した簡略手続手段と、を備え、前記霊園サーバ装置は、送受信手段と、画面表示手段と、記憶手段と、を備え更に前記霊園サーバ装置は、ネットワーク上に前記生命保険の申込を受付ける前記申込ページをウェブサイトに掲載するウェブサイト手段と、前記加入者端末がネットワークを介して前記申込ページを前記保険者サーバ装置に送信して前記生命保険に加入した場合に、前記保険者サーバ装置から受信した前記申込ページの前記加入者情報部に表示された前記加入者の氏名、住所を前記加入者が使用する前記墓所の使用権者管理カードに設けられた保険加入者欄に入力した該使用権者管理カードを前記霊園サーバ装置の記憶手段に格納して保存することと、前記加入者端末がネットワークを介して前記申込ページを前記霊園サーバ装置に送信して前記生命保険に加入した場合に、受信した前記申込ページを前記霊園サーバ装置の記憶手段に格納して保存するとともに該申込ページのコピーを前記保険者サーバ装置に送信することによって前記霊園と前記保険者が前記加入者の情報を共有する加入者情報共有手段と、前記加入者が死亡して焼骨を前記霊園の墓所に埋蔵する場合に前記霊園が受理した前記埋葬許可証を前記保険者サーバ装置に送信して該埋葬許可証の画像を前記使用権者管理カードと、前記加入者の前記申込ページに添付して前記霊園サーバ装置の記憶手段に格納して保存することにより前記保険者と前記霊園が前記埋葬許可証の画像を共有する埋葬情報共有手段と、を備えたことを特徴とする死亡保険金給付システム。
【００１２】
前記ウェブサイト手段は、前記霊園サーバ装置と前記保険者サーバ装置がそれぞれのウェブサイトに前記生命保険の申込を受付ける前記申込ページを掲載することであって、
前記生命保険に加入する加入手段は、前記加入者端末がブラウザからネットワークを介して前記霊園のウェブサイトにアクセスして前記霊園サーバ装置がウェブ上に掲載した前記申込ページに前記加入者が必要事項を入力した該申込ページを受付する第一加入手段と、
前記加入者端末がブラウザからネットワークを介して前記保険者のウェブサイトにアクセスして前記保険者サーバ装置がウェブ上に掲載した前記申込ページに前記加入者が前記必要事項を入力した該申込ページを受付する第二加入手段があり、前記第一加入手段は、前記霊園が前記保険者と業務委託契約を締結して前記霊園が前記生命保険の代理店となって前記生命保険の申込を受付する場合であって、前記第二加入手段は、前記生命保険の申込を直接前記保険者が受付する場合であって、前記加入者端末は、ブラウザからネットワークを介して前記霊園又は前記保険者の何れかのウェブサイトにアクセスしてウェブ上に掲載された前記申込ページに前記必要事項である加入者情報（墓所使用権者の氏名、墓所番号、使用権者との関係、加入者の住所、氏名、生年月日、性別）と、死亡保険金受取人情報（死亡保険金受取人の住所、氏名、電子メールアドレス、金融機関口座情報）と、前記加入者の健康に関する告知情報（告知事項）と、のそれぞれの情報入力欄に前記加入者が入力した前記申込ページを前記霊園サーバ装置又は、前記保険者サーバ装置の何れかにネットワークを介して送信し、前記霊園サーバ装置又は、前記保険者サーバ装置の何れかが前記申込ページを受信することにより前記加入者が前記生命保険に加入できることを特徴とする死亡保険金給付システム。
【００１３】
前記加入者端末が前記霊園のウェブサイトにアクセスして前記生命保険を申込む前記第一加入手段の場合に前記霊園サーバ装置は、受信した前記申込ページに表示された墓所番号を基に前記霊園サーバ装置の記憶手段に保存された前記加入者の前記使用権者管理カードを抽出し、前記申込ページに表示された前記加入者の氏名、住所を抽出した前記使用権者管理カードに設けられた前記保険加入者欄に入力した該使用権者管理カードを前記霊園サーバ装置の記憶手段に格納して保存し、更に前記申込ページのコピーをネットワークを介して前記保険者サーバ装置に送信した上で前記申込ページを前記霊園サーバ装置の記憶手段に格納して保存し、前記保険者サーバ装置は、前記霊園サーバ装置から受信した前記申込ページのコピーを前記霊園からの申込ページとして前記保険者サーバ装置の記憶手段に格納して保存し、前記加入者端末が前記保険者のウェブサイトにアクセスして前記生命保険を申込む前記第二加入手段の場合に前記保険者サーバ装置は、受信した前記申込ページに設けられた前記加入者情報部に表示された加入者情報をネットワークを介して前記霊園サーバ装置に送信した上で前記申込ページを前記保険者サーバ装置の記憶手段に格納して保存し、前記霊園サーバ装置は、前記保険者サーバ装置から受信した前記加入者情報部に記載された前記墓所番号を基に前記霊園サーバ装置の記憶手段に保存された前記使用権者管理カードを抽出し、抽出した前記使用権者管理カードに設けられた前記保険加入者欄の前記加入者情報部に表示された前記加入者の氏名、住所を入力した該使用権者管理カードを前記霊園サーバ装置の記憶手段に格納して保存することにより前記保険者と前記霊園が前記加入者の情報を共有することを特徴とする死亡保険金給付システムで、前記保険者は前記加入者に加入者情報を前記霊園に開示することの同意を得るようになっている。
【００１４】
前記埋葬情報共有手段とは、前記霊園の墓所に焼骨を埋蔵する場合には前記霊園が前記墓所の使用を確認するために前記霊園サーバ装置が、該霊園サーバ装置の記憶手段に保存した前記使用権者管理カードを抽出し、埋蔵される死亡者が前記生命保険に加入しているか、そして抽出した前記使用権者管理カードに入力された前記保険加入者欄の氏名が同一であるか、を前記霊園サーバ装置の画面表示手段で表示して前記霊園が受理した前記埋葬許可証に記載された死亡者の氏名を確認可能にし、更に抽出した前記使用権者管理カード
の埋葬許可証画像添付欄に前記埋葬許可証の画像を添付して前記霊園サーバ装置の記憶手段に格納して保存し、前記死亡者が前記生命保険に加入していた場合には前記埋葬許可証の画像をネットワークを介して前記保険者サーバ装置に送信し、前記保険者サーバ装置は、前記霊園サーバ装置から受信した前記埋葬許可証の画像を前記申込ページに設けられた前記埋葬許可証画像添付欄に添付して前記保険者サーバ装置の記憶手段に格納して保存することにより前記霊園と前記保険者が前記埋葬許可証の画像を共有することを特徴とする死亡保険金給付システムで前記使用権者の情報を前記使用権管理カードで一元管理できるようになっている。
【００１５】
前記死亡承認手段は、前記保険者サーバ装置が、該保険者サーバ装置の記憶手段に保存した死亡した前記加入者の前記申込ページを抽出し、前記保険者サーバ装置は、抽出した前記申込ページに入力された氏名と、前記霊園サーバ装置から受信した前記埋葬許可証の画像に表示された前記死亡者の氏名を確認可能にし、前記加入者の前記申込ページに設けられた前記埋葬許可証画像添付欄に前記埋葬許可証の画像を添付して前記保険者サーバ装置の記憶手段に格納して保存し、前記保険者は前記埋葬許可証の画像が前記加入者の死亡保険金支払い要件を満たしていることを承認可能とする死亡保険金給付システム。
【００１６】
前記保険金受取人連絡手段は、前記保険者サーバ装置が、死亡した前記加入者の前記申込ページを前記保険者サーバ装置の記憶手段から抽出し、抽出した前記申込ページの前記死亡保険金受取人の電子メールアドレス宛に前記加入者の死亡保険金受取人である旨と、その死亡保険金支払いに際して本人確認の公的証明書の画像が必要な旨をネットワークを介して通知することを特徴とする死亡保険金給付システム。
【００１７】
前記簡略手続手段は、前記死亡保険金受取人の端末がネットワークを介して前記保険者サーバ装置に前記公的証明書の画像を送信し、前記公的証明書の画像を受信した前記保険者サーバ装置において、前記保険者が前記公的証明書の画像の住所、氏名と前記保険者サーバ装置の記憶手段から抽出した死亡した前記加入者の前記申込ページの前記死亡保険金受取人の住所、氏名を照合して確認し、前記死亡保険金受取人の口座に死亡保険金を送金して前記公的証明書の画像を前記申込ページの本人確認画像添付欄に添付して前記保険者サーバ装置の記憶手段に格納して保存することを特徴とする死亡保険金給付システムで、前記加入者の情報を一元管理できるように構成されている。  
【発明の効果】
【００１８】
本発明によれば、保険契約者が死亡保険金受取人にその旨を伝えてない場合でも死亡保険金受取人は保険金が受領できる。また、死亡保険金受取人が高齢であっても保険金請求手続き困難な場合でも簡単な手続きで処理できる。
【図面の簡単な説明】
【００１９】
【図１】本発明の実態における全体の構成を示すブロック図である。
【図２】本発明の実態における第一加入手段の場合を示すフローチャートである。
【図３】本発明の実態における第二加入手段の場合を示すフローチャートである。
【図４】本発明の実態における保険者の霊園別サイトを示す参考図である。
【図５】本発明の実態における保険加入用の申込ページを示す参考図である。
【図６】本発明の実態における霊園が管理する使用権者管理カードの参考図である。
【図７】本発明の実態における第一加入手段の場合を示すシーケンス図である。
【図８】本発明の実態における第二加入手段の場合を示すシーケンス図である。
【発明を実施するための形態】
【００２０】
（実施例１）
以下、本発明の実施例１の形態について図面を参照して説明する。図１は本発明の全体の構成を示す図である。図１に示すように霊園サーバ装置１と保険者サーバ装置２と加入者端末３と死亡保険金受取人端末４はインターネットなどネットワークＮで接続されて通信可能となっている。なお、霊園と保険者は保険加入者に関する情報共有の契約をすることとなっている。
【００２１】
そして、図１に示す霊園サーバ装置１と保険者サーバ装置２は保険申込のためのそれぞれウェブ上に図５の保険加入用の申込ページＷ１を開設して保険加入手続きができるようにするウェブサイト手段１１、２１と電子メールの送信と受信を行う送受信手段１２、２２と入力画面を表示する画面表示手段１３、２３と保険に加入した加入者の申込ページＷ１などデータを格納して記憶する記憶手段１４、２４を備えている。
【００２２】
本発明は、生命保険に加入を希望する本人が死亡した場合、その焼骨が埋蔵される霊園又は寺院（以下、霊園と記載する。）の使用権者又はその使用権者が承認した人を対象とした死亡のみを担保する生命保険で、その加入方法は図２と図７に示す第一加入手段と図３と図８に示す第二加入手段の２通りあり、いずれの加入手段であっても死亡保険金請求手続きが簡略化された（霊園に提出する埋葬許可証を以って被保険者の死亡を承認することと、死亡保険金受取人の本人確認書類を保険金請求手続きとみなすこと）生命保険であることを保険に加入する加入者に伝えるようになっている。ちなみに生命保険各社は死亡保険金請求に際して必要書類が異なり概ね被保険者の死亡を確認できる公的書類（被保険者の住民票、死亡診断書、死亡検案書等の原本又はコピー）と保険金請求書、死亡保険金受取人の本人確認の書類となっている。
【００２３】
なお、保険加入者が予定した霊園に焼骨を埋蔵されなかった場合には死亡保険金受取人が被保険者の死亡が確認できる死亡診断書、死亡検案書、埋葬許可書またはそれらの画像の何れかを以って被保険者の死亡を承認し死亡保険金受取人の本人確認の書類又はその画像を以って死亡保険金が支払われるように保険約款に明記されるようになっている。
また、本保険に加入した加入者の個人情報（住所、氏名、生年月日、使用する墓所番号）は霊園と保険者が共有することの同意を加入者に得ていることとなっている。
【００２４】
まず、第一加入手段として霊園が当該保険の保険者と業務委託契約を締結して生命保険代理店となった場合のフローチャートとシーケンス図を図２と図７に示す。図２のＳ１１と図７のＷ１は霊園が備える図１の霊園サーバ装置１にウェブサイト手段１１を設けてウェブ上に図５の保険加入用の申込ページＷ１を開設する。
【００２５】
図２のＳ１２と図７のＷ１は図１の保険に加入する保険加入者端末３からネットワークＮ、例えばインターネットを介して霊園のウェブサイトにアクセスして図５の保険加入用の申込ページＷ１を端末画面上に表示して必要事項（加入者情報、死亡保険金受取人情報、告知情報）を入力してから霊園サーバ装置１に送信する。
霊園は、図７のＳ７１のその申込ページＷ１を霊園サーバ装置１の記憶手段１４に格納して保存する。
【００２６】
図２のＳ１３と図７Ｓ７１に示すように霊園は図５の申込ページＷ１をコピーして送信され申込ページＷ１を霊園サーバ装置１の記憶手段１４に格納して保存する。そして図７に示す霊園サーバ装置１からネットワークＮを介して保険者サーバ装置２に申込ページＷ１のコピーを送信する。図７のＳ８１の保険者は受信した申込ページＷ１のコピーを保険者サーバ装置２の記憶手段２４に格納して保存する。
【００２７】
なお、本生命保険はウェブでの契約（健康状態の告知のみ）を前提としているため一般の生命保険と異なり保険金額が限定的（加入者の年齢と保険者の引き受け等によって異なる）となっている。加入者の年齢等によって異なるがウェブ上に表示された保険金額以上の額を希望する人は別途、霊園又は保険者に問い合わせするようになっている。
【００２８】
また、保険料に関しては図５に示す保険加入用の申込ページＷ１の下段の「次へ」のアイコンＷ１６をクリックすることにより図示を省略したが保険料ページが表示され生年月日を入力して「保険料」アイコンをクリックすることにより画面上に保険料が表示されようになっている。更に保険料支払い方法を選択するようになっている。そして保険証券番号が表示されるようになっている。そして保険証券と保険約款は端末からネットワークＮを介して霊園のウェブサイトにアクセスしてウェブ上で何時でも確認できるようになっている。なお、健康状態の告知は「はい」と「いいえ」で構成され保険者は保険の引き受けができない場合は、システム上自動的にお引き受けできない旨が画面上に表示されるようになっている。
【００２９】
図２のＳ１４は霊園サーバ装置１から図６の使用権者管理カードＷ２を抽出して図５の申込ページＷ１の加入者の氏名と住所Ｗ１１を使用権者管理カードＷ２の保険加入者欄Ｗ２１に入力して保存する（図７のＳ７２）。
【００３０】
図２のＳ１５において霊園は焼骨を埋蔵する際、図６の使用権者管理カードＷ２に入力された墓所番号を確認した上で埋蔵に必要となる図７の埋葬許可証Ｄ１の死亡者名と図６の使用権者管理カードＷ２に入力された保険加入者の氏名とを確認して同一名であれば霊園サーバ装置１からネットワークＮを介して図７の埋葬許可証Ｄ１の画像を保険者サーバ装置２に送信して保険加入者の死亡情報を共有できるようにした。更に、図７のＳ７３に示す埋葬許可証Ｄ１の画像を図６の使用権者管理カードＷ２に添付して霊園サーバ装置１の記憶手段１４に格納して保存して使用権者の情報を一元管理できるようにしてある。なお、埋葬許可証の画像はスキャナでスキャンしたものでもデジタルカメラで撮った画像でも内容が把握できるものであれば構わない。また画像は適宜添付できるように縮小してもよい。
【００３１】
図２のＳ１６において保険者は霊園サーバ装置１から送信された埋葬許可証Ｄ１の画像を図５の申込ページＷ１の埋葬許可証画像添付欄Ｗ１４に添付して図1の保険者サーバ装置２の記憶手段２４に格納して保存する。埋葬許可証画像は適宜縮小して保存してもよい。また別途、埋葬許可証画像だけを保険証券番号と紐付けて保存してもよい。
なお、保険者は埋葬許可証画像を以って保険加入者である被保険者の死亡を承認するように保険約款に記載されるようになっている。
【００３２】
図２のＳ１７において保険者は保険者サーバ装置２の記憶手段２４から図５の加入者の申込ページＷ１を抽出して、死亡保険金受取人情報Ｗ１２から死亡保険金受取人の電子メールアドレス宛に図７の保険者サーバ装置２からネットワークＮを介して死亡保険金受取人端末４へ本人確認ができる公的書類（運転免許証、マイナンバーカード、パスポート等）の画像の送信を依頼する。本人確認の公的書類は顔写真がある者が好ましくその画像はスキャナでスキャンしたものでもデジタルカメラで撮った画像でも内容が把握できるものであれば構わない。また、死亡保険金受取人が端末を使用していない場合は公的書類のコピーの郵送またはファックス送信でも構わないようになっている。
【００３３】
図２のＳ１８において保険者は図７に示すように死亡保険金受取人端末４から保険者サーバ装置２にネットワークＮを介して送信された公的証明書の画像を以って保険金請求手続きされたこととみなして、死亡保険金受取人口座に送金するようになっている。
更に図７のＳ８４に示す公的証明書の画像と埋葬許可証Ｄ１の画像を申込ページＷ１に添付して保険者サーバ装置２の記憶手段２４に格納して保存して保険加入者の情報を一元管理できるように構成されている。
【００３４】
次に第二加入手段として、霊園が生命保険代理店にならなかった場合のフローチャートとシーケンス図を図３と図８に示す。
【００３５】
図３のＳ２１において保険者は図４の霊園別サイトＢ１をネット上に開設する。図８と図３のＳ２２において保険に加入する加入者は加入者端末３からネットワークＮを介して保険者の霊園別サイトＢ１にアクセスして該当する霊園のアイコンをクリックして保険に加入する申込ページＷ１を端末画面に表示して加入者情報Ｗ１１と死亡保険金受取人情報Ｗ１２と告知情報Ｗ１３を入力欄にそれぞれ入力して保険者サーバ装置２に送信する。
【００３６】
図３のＳ２３において保険者は加入者が送信した申込ページＷ１から図８に示す加入者情報Ｗ１１を保険者サーバ装置２からネットワークＮを介して霊園サーバ装置１に送信して加入者の情報を共有するようになっている。その場合保険者は霊園の名前が分かるように申込ページに霊園名が表示されるようになっている。
更に、図８のＳ８１に示すように保険者サーバ装置２の記憶手段２４に申込ページＷ１を格納して保存する。
【００３７】
図３のＳ２４において霊園は霊園サーバ装置１の記憶手段１４から加入者情報Ｗ１１の墓所番号を基に使用権者管理カードＷ２を抽出して図８のＳ７２に示すようにその使用権者管理カードＷ２の保険加入者欄に加入者の氏名と住所を入力して保存するようになっている。
【００３８】
図３のＳ２５において霊園は埋葬の際に埋葬許可証Ｄ１の死亡者名と使用者管理カードＷ２に入力された保険の加入者の氏名とを確認して同一名であれば埋葬許可証Ｄ１の画像を霊園サーバ装置１からネットワークＮトを介して保険者サーバ装置２に送信する。
その際、図８のＳ７３に示すように埋葬許可証Ｄ１の画像を使用権者管理カードＷ２に添付して霊園サーバ装置１の記憶手段１４に格納して保存する。
【００３９】
図３のＳ２６において保険者は保険者サーバ装置２の記憶手段２４に保存した死亡した加入者の申込ページＷ１を抽出して埋葬許可証Ｄ１の画像を添付した後に記憶手段２４に格納して保存する。なお、保険者はその埋葬許可証Ｄ１の画像をもって被保険者の死亡を承認するようになっている。
【００４０】
図３のＳ２７において保険者は死亡した加入者の申込ページＷ１を保険者サーバ装置２の記憶手段２４から抽出して死亡保険金受取人情報Ｗ１２から図８のように死亡保険金受取人の電子メールアドレス宛に保険者サーバ装置２の送受信手段２２からネットワークＮを介して本人確認ができる公的証明書の画像を保険者サーバ装置２に送信するように依頼する。
【００４１】
図３のＳ２８において保険者は死亡保険金受取人から送信された公的証明書の画像を以って死亡保険金受取人が保険金請求手続きをしたとこととみなして死亡保険金受取人の口座に死亡保険金を送金するようになっている。保険者は図８のＳ８４に示すように加入者情報Ｗ１１を保険者サーバ装置２から死亡した加入者の図５の申込ページＷ１の埋葬許可証Ｄ１画像と公的証明書の画像を添付欄Ｗ１４、Ｗ１５に添付して記憶手段２４に格納して保存する。保険者は加入者を一元管理できるように構成されている。
【００４２】
（死亡保険金受取人について）
死亡保険金受取人は一般に配偶者や子、孫など二親等以内の血族であるが保険契約時に死亡保険金受取人を指定しない場合もある。その場合は被保険者の法定相続人に死亡保険金を支払うようになる。
【００４３】
（埋火葬許可証について）
自治体によって書式が多少異なるが一般に遺体を火葬場で火葬する際に埋・火葬許可証が必要となり、次に火葬後に火葬場が認印した埋・火葬許可証を霊園に提出する
【００４４】
前述の実施形態によれば死亡保険金請求手続きが簡略化でき、場合によっては被保険者が生命保険に加入していたことを知らなった死亡保険金受取人が死亡保険金を受領できるように構成されている。
【００４５】
（実施例２）
なお、前述の実施例１の形態では一般的な死亡を担保する生命保険としたが実施例２として、本発明の形態を応用すれば保険加入者の葬儀費用を賄うための葬儀費用保険（損害保険）とすることができる。
【００４６】
図示を省略したが以下の手順によって実施できる。
（１）サーバを備えた保険者は提携したサーバを備えた霊園や寺院をネットワークで接続して情報共有する。
（２）保険者はウェブサイトに提携先霊園又は寺院に埋葬する人を対象とした葬儀費用保険の加入用申込ページをウェブ上に開設する。
（３）保険加入者は端末からインターネットを介してブラウザから保険者のウェブサイトを画面上に表示して該当する霊園又は寺院のアイコンをクリックして申込ページに必要事項を入力して保険者サーバに送信する。
（４）その際、保険申込者の個人情報の他、葬儀の対象とする者の個人情報と墓所番号と墓所の所有権者名と施主の個人情報を入力するようになっている。
なお、個人情報は住所、氏名、生年月日、電話番号（携帯電話番号）電子メールアドレス等を示す。
（５）保険者はサーバから霊園又は寺院のサーバにネットワークを介して葬儀又は寺院のサーバに申込ページを送信する。
（６）霊園又は寺院は埋蔵される焼骨が保険に加入した葬儀対象者であるかを確認してその対象者であれば霊園又は寺院のサーバからネットワークを介して埋葬許可証の画像を保険者のサーバに送信する。
（７）保険者はそれを基に保険加入者又は施主にサーバから保険加入者又は施主の端末にネットワークを介して葬儀費用の領収書等の葬儀に要した費用の明細画像で送信するように依頼する。
（８）保険者は送信された葬儀に要した領収書等を査定して保険金を支払う。
【００４７】
なお、葬儀費用保険においては加入条件や免責事項や注意事項が設けられている。前述の構成によって保険金請求手続きが簡略な葬儀費用保険が提供できる。
【００４８】
本葬儀費用保険のメリットとしては保険金請求手続きが簡単な他、保険金の用途が明らかで相続問題が発生しづらい効果がある。
【符号の説明】
【００４９】
１      霊園サーバ装置
１１    ウェブサイト手段（霊園サーバ装置）
１２    送受信手段（霊園サーバ装置）
１３    画面表示手段（霊園サーバ装置）
１４    記憶手段（霊園サーバ装置）
２      保険者サーバ装置
２１    ウェブサイト手段（保険者サーバ装置）
２２    送受信手段（保険者サーバ装置）
２３    画面表示手段（保険者サーバ装置）
２４    記憶手段（保険者サーバ装置）
３      加入者端末
４      死亡保険金受取人端末
Ｎ      ネットワーク（インターネット）
Ｄ１    埋葬許可証
Ｂ１    霊園別サイト
Ｗ１    申込ページ
Ｗ１１  加入者情報
Ｗ１２  死亡保険金受取人情報
Ｗ１３  告知情報
Ｗ２    使用権者管理カード
【要約】      （修正有）【課題】死亡を担保する生命保険において保険金請求手続が簡略化した生命保険を提供する。【解決手段】霊園又は寺院の墓所に焼骨を埋蔵される人を対象とする死亡を担保する生命保険であって、その加入手段は、各霊園又は寺院のウェブサイト又は保険者のウェブサイトから加入でき、その霊園又は寺院とその保険者とがネットワークで接続され、保険加入者の情報とその加入者が死亡した場合に、霊園又は寺院に提出する埋葬許可証の情報を共有することにより、保険者は保険加入者が死亡したことと承認して、保険加入者が指定した死亡保険金受取人の電子メールアドレス宛に、保険者がネットワークを介して本人確認書類の画像を保険者に送信するように依頼する。そして保険者は、受信した死亡保険金受取人の公的証明書の画像を以って、死亡保険金受取人が保険金の請求手続きしたものとみなして、死亡保険金を死亡保険金受取人の口座に送金する。【選択図】図７【図１】
0006850337.tif 000002
【図２】
0006850337.tif 000003
【図３】
0006850337.tif 000004
【図４】
0006850337.tif 000005
【図５】
0006850337.tif 000006
【図６】
0006850337.tif 000007
【図７】
0006850337.tif 000008
【図８】
0006850337.tif 000009